(57)【特許請求の範囲】
【請求項１】
コマーシャルを提供する方法において、
コマーシャルテンプレート、及びこのコマーシャルテンプレートに挿入するための複数のメディアセグメントをユーザからネットワークを通じて受け取り、前記コマーシャルテンプレートは、前記複数のメディアセグメントの１つ以上を受け入れる複数のメディアスロットを含み、
マイクロトレンドデータを情報ソースから前記ネットワークを通じて受け取り、前記マイクロトレンドデータは、情報ソースとの第三者の対話に関する情報、情報ソースにおけるアクティビティに関する情報、及び情報ソースに関するトレンド情報、のうちの少なくとも１つを含み、
プロセッサが、前記情報ソースから受け取った情報に基づいて少なくとも１つのメディアセグメントを選択し、
前記プロセッサが、組み合わせソフトウェアパッケージに命令し、コマーシャルを組み合わせ、前記コマーシャルは、受信した前記マイクロトレンドデータにより選択され、１つ以上のメディアスロットに挿入されたメディアセグメントを含み、そして
前記組み合わされたコマーシャルを前記ユーザに前記ネットワークを通じて送信する、という段階を備えた方法。
【請求項２】
前記受け取ったコマーシャルテンプレート及び複数のメディアセグメントをデータベースに記憶する、請求項１に記載の方法。
【請求項３】
ユーザが前記コマーシャルテンプレート及び複数のメディアセグメントの少なくとも１つをデータベースへアップロードするのを許す、請求項１に記載の方法。
【請求項４】
前記情報ソースは、ウェブサイト、リンクされたウェブサイト、第三者ウェブサイト、及びセルラープロバイダーのうちの１つである、請求項１に記載の方法。
【請求項５】
前記受け取られた情報について前記情報ソースへ問合せを送信する、請求項１に記載の方法。
【請求項６】
前記受け取られた情報を、前記コマーシャルテンプレート及び複数のメディアセグメントの少なくとも１つに関連付け、そして
前記受け取られた情報をデータベースに記憶する、
という段階を更に備えた請求項１に記載の方法。
【請求項７】
前記情報ソースからフィードバックを受け取る、請求項１に記載の方法。
【請求項８】
前記フィードバックは、更に、情報ソースのユーザが次のアクション、即ちコンテンツの再調査、コンテンツの早送り、コンテンツの巻き戻し、コンテンツの休止、特定時間におけるコンテンツの休止、コンテンツの再生、特定時間に対するコンテンツの再生、コンテンツへのリンクの生成、及びコンテンツへのリンクの、別のユーザへの送信、の少なくとも１つを遂行したという情報を含む、請求項７に記載の方法。
【請求項９】
前記フィードバックは、更に、在庫情報を含む、請求項７に記載の方法。
【請求項１０】
前記受け取ったフィードバックに基づいて前記複数のメディアセグメントから、メディアセグメントの異なるセットを選択し、
前記メディアセグメントの異なるセットをコマーシャルテンプレートへ挿入することにより前記組み合わされたコマーシャルを更新する、
という段階を更に備えた請求項７に記載の方法。
【請求項１１】
前記受け取ったフィードバックを使用して、コマーシャルの異なるバージョンを組み合わせるための推薦選択肢をユーザに提示し、この推薦選択肢は、推薦されるメディアセグメント、推薦される組み合わされたコマーシャル、推薦される広告グループ、推薦されるタイムスロット、推薦されるテレビ番組、推薦されるユーザ層、のうちの少なくとも１つを含む、請求項７に記載の方法。
【請求項１２】
前記受け取ったフィードバックに基づいて構成ルールを生成する、請求項７に記載の方法。
【請求項１３】
複数の情報ソースの各々から、情報ソースとの第三者の対話に関する情報、情報ソースにおけるアクティビティに関する情報、及び情報ソースに関するトレンド情報、のうちの少なくとも１つを受け取り、
前記複数の情報ソースから受け取られた情報を分析し、そして
その分析に基づいて前記組み合わされたコマーシャルをカスタマイズする、
という段階を更に備えた請求項１に記載の方法。
【請求項１４】
前記分析は、更に、
前記受け取られた情報にモデルを適用し、このモデルは、前記組み合わされたコマーシャルへの変更をシミュレートするための複数の計算を含み、そして
前記受け取られた情報への前記モデルの適用に少なくとも一部分基づいて前記組み合わされたコマーシャルへの影響の指示をユーザに与える、
という段階を含む請求項１３に記載の方法。
【請求項１５】
前記情報ソースから事象を受け取り、この事象は、更新されたメディアセグメントと、現在選択されたメディアセグメントに関係付ける命令とに関連しており、そして
前記選択されたメディアセグメントを前記更新されたメディアセグメントに置き換える、という段階を更に備えた請求項１に記載の方法。
【請求項１６】
前記情報ソースから事象を受け取り、この事象は、前記組み合わされたコマーシャルに関連しており、そして
更新されたメディアセグメント、前記組み合わされたコマーシャルに関連した更新された情報、及び前記組み合わされたコマーシャル内のメディアセグメントに関連した更新された情報、の少なくとも１つについて前記情報ソースへ問合せを送信する、
という段階を更に備えた請求項１に記載の方法。
【請求項１７】
コマーシャルを提供するシステムにおいて、
メモリに保存されているメディア生成アプリケーションのためのコンピュータ読み取り可能な命令を少なくとも部分的に実行するプロセッサを備え、このメディア生成アプリケーションは、データベースと通信し、そして
前記データベースに保存されているコマーシャルテンプレート、及びこのコマーシャルテンプレートに挿入するための複数のメディアセグメントをユーザからネットワークを通じて受け取り、前記コマーシャルテンプレートは、前記複数のメディアセグメントの１つ以上を受け入れる複数のメディアスロットを含み、
マイクロトレンドデータを情報ソースから前記ネットワークを通じて受け取り、前記マイクロトレンドデータは、情報ソースとの第三者の対話に関する情報、情報ソースにおけるアクティビティに関する情報、及び情報ソースに関するトレンド情報、のうちの少なくとも１つを含み、
前記情報ソースから受け取った前記マイクロトレンドデータに基づいて少なくとも１つのメディアセグメントを選択し、
組み合わせソフトウェアパッケージに命令し、コマーシャルを組み合わせ、前記選択されたメディアセグメントは、前記データベースから検索され、１つ以上の前記メディアスロットに挿入され、
組み合わされた前記コマーシャルを前記データベースに保存し、そして、
前記組み合わされたコマーシャルを前記ユーザに送信する、
というように構成されている、システム。
【請求項１８】
コマーシャルを提供するシステムにおいて、
コマーシャルテンプレート、及びこのコマーシャルテンプレートに挿入するための複数のメディアセグメントをユーザから受け取るための手段であって、前記コマーシャルテンプレートは、前記複数のメディアセグメントの１つ以上を受け入れる複数のメディアスロットを含むものである手段と、
マイクロトレンドデータを情報ソースから前記ネットワークを通じて受け取るための手段であって、前記マイクロトレンドデータは、情報ソースとの第三者の対話に関する情報、情報ソースにおけるアクティビティに関する情報、及び情報ソースに関するトレンド情報、のうちの少なくとも１つを含む、前記受け取るための手段と、
前記情報ソースからの前記マイクロトレンドデータに基づいて少なくとも１つのメディアセグメントを選択するための手段と、
前記選択されたメディアセグメントが１つ以上のメディアスロットに挿入されたコマーシャルを組み合わせるように組み合わせソフトウェアパッケージに命令するための手段と、
前記組み合わされたコマーシャルを前記ユーザに送信するための手段と、
を備えたシステム。
【発明の詳細な説明】
【技術分野】
【０００１】
本発明は、メディアコンテンツを生成しカスタマイズする分野に係る。より詳細には、本発明は、マイクロトレンド情報及び／又はフィードバック情報を使用してコマーシャルを制作しカスタマイズするシステム及び方法を提供する。
【０００２】
関連出願へのクロスレファレンス：本出願は、参考としてここに全体を援用する２００６年４月２４日に出願された米国プロビジョナル特許出願第６０／７９４，６２４号の利益を主張する。
【背景技術】
【０００３】
広告、コマーシャル及びテレビ番組のようなメディアコンテンツは、ターゲットとする視聴者にコンテンツを見、聞き又は受信してもらうという目標で生成される。ターゲットとする視聴者は、例えば、全世界、１つの国、地域、都市、隣人又は特定の個人である。しかしながら、望ましい視聴者を狙って望ましいコンテンツを配布することは、困難なプロセスである。どの消費者がメディアコンテンツの特定の断片を受信するか制御することは、しばしば困難である。その結果、コンテンツの配布者又は創作者は、一般的に、そのコンテンツを、希望するものより大きな又は小さなエリアへ供給する。
【０００４】
例えば、市場取引者や広告主は、ターゲットとする視聴者の購入習慣に関するパターンやトレンドを確立するために人口統計学的解決策に依存するようになった。市場取引者や広告主は、導出された情報を利用して、それらの市場に関する所見を作成し、個人を異なる形式のオファーに狙いを定め、そして広告のために適切なメディア購入を選択する。ビデオ広告メディア、例えば、郵送されるビデオテープや、インターネットビデオストリームや、放送又はケーブル広告の場合に、ターゲットとする視聴者に関して得られる情報の効果を直接取り入れる広告又は直接的マーケット情報の個人的バージョンを作成するための手段は、限定されたものしかない。従って、会社が、ターゲットとする視聴者に関する膨大な量の情報を知っていても、この情報をレバレッジする能力は、放送メディアの基礎によって制限され、従って、全ての顧客へ同じメッセージを送信することを必要とする。
【０００５】
別の例では、市場取引者及び／又は広告主は、一般的な広告キャンペーンを創り出すこともできる。親会社が市場取引者及び／又は広告主から一般的なキャンペーンを購入するときには、その会社は、一般に、キャンペーンをそれらの現地オフィス（例えば、子会社組織）に配布のために与える。各現地オフィスは、典型的に、別の広告代理店を雇って、その広告を、例えば、各市場に基づいて変更する。広告を変更するこのプロセスは、費用がかかるだけでなく、変更された広告に含まれるメッセージが、親組織が希望する一般的なキャンペーンから方向転換してしまうこともある。更に、行われる変更は、異なる現地オフィスによって別々に、ひいては、冗長に行われることがある。これは、コンテンツを生成して配布する方法としては費用がかかる上に有効でない。
【発明の開示】
【発明が解決しようとする課題】
【０００６】
そこで、従来のシステムにおけるこれら及び他の欠点を克服するコンテンツ管理システム及び方法が要望される。
【課題を解決するための手段】
【０００７】
本発明によれば、コマーシャルを制作しカスタマイズするシステム及び方法が提供される。特に、マイクロトレンド情報及び／又はフィードバック情報を使用してユーザがコマーシャルを制作しカスタマイズするのを許すシステム及び方法が提供される。
【０００８】
ある実施形態では、本発明は、コマーシャルテンプレート、及びこのコマーシャルテンプレートに挿入するための複数のメディアセグメントを、ユーザがメディア生成アプリケーションへ送り込むのを許す。コマーシャルテンプレートは、複数のメディアセグメントのうちの１つ以上を受け入れる複数のメディアスロットを含む。
【０００９】
メディア生成アプリケーションは、情報ソース（例えば、ウェブサイト、リンクされたウェブサイト、第三者ウェブサイト、セルラープロバイダー、等）から、この情報ソースとのユーザの対話に関する情報、この情報ソースにおけるアクティビティに関する情報、及び／又はこの情報ソースに関するトレンド情報を受け取る。ある実施形態では、メディア生成アプリケーションは、そのような情報について情報ソースに問合せすることができる。或いは又、メディア生成アプリケーションは、情報ソース及び他の情報ソースからの情報を分析して、トレンド情報を決定することができる。
【００１０】
マイクロトレンド情報を受け取るのに応答して、メディア生成アプリケーションは、その受け取った情報に基づいて１つ以上のメディアセグメントを選択する。メディアコンテンツ管理アプリケーションは、選択されたメディアセグメントがコマーシャルテンプレートのメディアスロットに挿入された完成コマーシャル（例えば、３０秒スポット）を組み合わせるように編集／アッセンブリメカニズムに命令することができる。組み合わされたコマーシャルが視聴者に提示される。
【００１１】
ある実施形態では、メディア生成アプリケーションは、完成コマーシャルに関するフィードバックを情報ソースから受け取る。このフィードバックを受け取るのに応答して、メディアコンテンツ管理アプリケーションは、異なるメディアセグメントをコマーシャルテンプレートに挿入することにより、組み合わされたコマーシャルを更新することができる。
【００１２】
ある実施形態では、メディア生成アプリケーションは、受け取ったフィードバックに基づいて構成ルールを生成する。
【００１３】
ある実施形態では、メディア生成アプリケーションは、複数の情報ソースからマイクロトレンド情報を受け取る。それに応答して、メディア生成アプリケーションは、マイクロトレンド情報を分析して、その分析に基づいてコマーシャルを制作し又は更新する。
【００１４】
従って、以下の詳細な説明を良く理解でき且つこの技術に対する本発明の貢献が良く分かるように、本発明の重要な特徴を大まかに上述した。もちろん、特許請求の範囲の要旨を形成する本発明の付加的な特徴も以下に説明する。
【００１５】
この点について、本発明の少なくとも１つの実施形態を詳細に説明する前に、本発明は、その適用が、添付図面に示され又は以下に述べる構造及びコンポーネントの配列の詳細に限定されるものでないことを理解されたい。本発明は、他の実施形態も考えられ、又、種々の仕方で実施及び実行することができる。又、ここに使用する表現や用語は、説明のためのもので、それに限定されるものでないことも理解されたい。
【００１６】
従って、当業者であれば、この開示の基礎となる概念は、本発明の多数の目的を果たすための他の構造、方法及びシステムを設計する基礎として容易に利用できることが明らかであろう。それ故、特許請求の範囲は、そのような等価な構造を、それらが本発明の精神及び範囲を逸脱しない限り、包含するとみなすことが重要である。
【００１７】
本発明のこれら及び他の目的は、本発明を特徴付ける種々の新規な特徴と共に、特許請求の範囲において指摘される。本発明、その動作上の効果、及びその利用により達成される特定の目的を良く理解するために、本発明の好ましい実施形態が示された添付図面を参照して、以下に詳細に説明する。
【００１８】
本発明の種々の目的、特徴、及び効果は、同じ要素が同じ参照番号で示された添付図面と共に本発明の以下の詳細な説明を参照することで、充分に明らかとなろう。
【発明を実施するための最良の形態】
【００１９】
以下の説明は、多数の特定の細部を含む。このような細部を含ませるのは、例示に過ぎず、本発明を制限するものではないことを理解されたい。更に、この技術で良く知られた幾つかの特徴は、本発明の要旨を複雑にしないために詳細に説明しない。更に、１つの実施形態における特徴を、本発明の他の実施形態における特徴と結合してもよいことを理解されたい。
【００２０】
本発明によれば、コマーシャル（以下、「メディア生成アプリケーション」又は「アプリケーション」）を制作しカスタマイズするためのシステム及び方法が提供される。特に、情報ソースからのマイクロトレンド情報及びフィードバック情報を使用してコマーシャル及び他のメディアコンテンツをカスタマイズし生成するシステム及び方法が提供される。メディア生成アプリケーションのユーザは、例えば、広告主、市場取引者、会社の本部のユーザ、現地オフィスのユーザ、親会社の子会社のユーザ、ケーブルオペレータ、サービスプロバイダー、コンテンツプロバイダー、多ケーブルシステムオペレータ（ＭＳＯ）、等を含む。
【００２１】
ここで使用するマイクロトレンド情報は、特定のウェブサイト（例えば、Dell.com、NYTimes.com、Google.com、等）に関するユーザ対話情報又はアクティビティ情報、セルラー電話のアクティビティ情報（例えば、ユーザが特定のアプリケーション、位置情報をダウンロードする回数）、又は情報ソースからの他の適当なフィードバックを含む。情報ソースは、例えば、ウェブサイト、セルラープロバイダー、セットトップボックス、等を含む。
【００２２】
本発明によれば、メディア生成アプリケーションは、情報ソースに、マイクロトレンド情報について問合わせすることができる。情報ソースから問合せに対する応答を受け取るのに応答して、アプリケーションは、受け取ったマイクロトレンド情報を使用して、カスタマイズされたコマーシャルを制作し、及び／又は既に制作されたコマーシャルを異なるメディアセグメントで更新することができる。
【００２３】
メディアセグメントは、例えば、オーディオの部分、ビデオの部分、バックグランドオーディオ、ナレーション、イメージ、アニメーション、グラフィック、等を含むことに注意されたい。メディアセグメントは、コマーシャルテンプレートのメディアスロットに挿入される。これらのメディアセグメントは、広告主のようなユーザから受け取ることができる。例えば、コマーシャルを制作するために雇われた広告主は、複数のメディアセグメントを生成し、そしてそれらメディアセグメントを、メディア生成アプリケーションと通信する特殊目的のデータベース（例えば、複数のメディアセグメントを記憶するオブジェクト指向のデータベース）へアップロードすることができる。別の例では、ウェブサイトのような情報ソースが、その情報ソースに関するメディアセグメント（例えば、ウェブサイトで売られた製品、新製品の説明、新製品のグラフィック、在庫情報、等に関するメディアセグメント）をアップロードすることができる。
【００２４】
メディア生成アプリケーションは、受け取ったマイクロトレンド情報を使用して、適切なメディアセグメントを選択し、カスタマイズされたコマーシャルを制作し、及び／又は以前に制作されたコマーシャルを更新する。
【００２５】
ある実施形態では、メディア生成アプリケーションは、情報ソースからフィードバックを受け取ることができる。このフィードバックは、例えば、視聴者メンバーから情報が受け取られたというフィードバック、コマーシャル又はメディアコンテンツの応答性又は有効性に関する情報、情報ソースからの状態更新（例えば、Dellはプリンターを切らしているのでDellプリンターの特定の取引に関して現在放送されるコマーシャルを中止し、又、特定の話題に関するフィードバックを受け取る際にその話題に関する特定の政治家のコマーシャルを中止する、等）を含むことができる。フィードバックを受け取るのに応答して、メディア生成アプリケーションは、そのフィードバックをコマーシャルキャンペーンに関連付け、そしてそのフィードバックをデータベースに記憶する。ある実施形態では、メディア生成アプリケーションは、受け取ったフィードバックに基づいて構成ルールを開発し又は更新することができる。例えば、Fordが特定の車両モデルについて数量が減ってきたという情報を受け取るのに応答して、メディア生成アプリケーションは、他の車両に関するコマーシャル及び他のメディアコンテンツをプッシュする構成ルールを開発することができる。別の例では、Fordが特定の車両モデルについて数量が減ってきたという情報を受け取るのに応答して、メディア生成アプリケーションは、その特定の車両モデルがいつ在庫状態に戻るか視聴者に通知するメディアセグメントを現在放送コマーシャルに追加する構成ルールを開発することができる。
【００２６】
本発明の以下の実施形態は、コマーシャルの制作及びカスタマイズに関連して説明するが、これらの実施形態は、コマーシャルのみに限定されないことに注意されたい。むしろ、本発明は、広告、テレビ番組、ビデオ、等のいかなる適当なメディアコンテンツに適用されてもよい。
【００２７】
ある実施形態では、メディア生成アプリケーションは、第三者のウェブサイトに関連して機能することができ、この場合、アプリケーションは、第三者のウェブサイト又は関連ウェブサーバーからマイクロトレンド及びフィードバック情報を受け取る。例えば、アプリケーションを使用する広告主は、NYTimes.com（第三者ウェブサイト）との確立された関係を有し、そのアプリケーションがNYTimes.comからマイクロトレンド情報を自動的に受け取る（例えば、他の者へｅメールされるトップ記事、NYTimes.comへの訪問者が見るトップ記事、NYTimes.comに関する最も人気のある広告、等）。NYTimes.comからマイクロトレンド情報を受け取るのに応答して、アプリケーションは、クライアント（例えば、特定の政治家、電子コマースウェブサイト、等）に対するコマーシャルを制作し、この場合、マイクロトレンド情報に基づいてメディアセグメントが選択される。
【００２８】
添付図面及び資料、並びにそれを参照した説明は、本発明のシステム及び方法の詳細な実施例を構成する。
【００２９】
図１は、本発明の幾つかの実施形態によりメディア生成アプリケーションが実施されるメディア生成システム１００を例示する一般化された概略図である。図示されたように、システム１００は、１つ以上のワークステーション１０２を含むことができる。ワークステーション１０２は、互いにローカルであってもよいし、又は互いにリモートであってもよい。ワークステーション１０２は、１つ以上の通信リンク１０４により通信ネットワーク１０６に接続され、この通信ネットワークは、通信リンク１０８を経てサーバー１１０にリンクされる。
【００３０】
システム１００は、１つ以上のサーバー１１０を含むことができる。サーバー１１０は、メディア生成アプリケーションへのアクセスを与える適当なサーバー、例えば、プロセッサ、コンピュータ、データ処理装置、又はこのような装置の組合せでよい。通信ネットワーク１０６は、インターネット、イントラネット、ワイドエリアネットワーク（ＷＡＮ）、ローカルエリアネットワーク（ＬＡＮ）、ワイヤレスネットワーク、デジタル加入者ライン（ＤＳＬ）ネットワーク、フレームリレーネットワーク、非同期転送モード（ＡＴＭ）ネットワーク、バーチャルプライベートネットワーク（ＶＰＮ）、又はこのようなネットワークの組合せを含む適当なコンピュータネットワークでよい。通信リンク１０４及び１０８は、ワークステーション１０２とサーバー１１０との間にデータを通信するのに適した通信リンク、例えば、ネットワークリンク、ダイヤルアップリンク、ワイヤレスリンク、ハードワイヤードリンク、他の適当な通信リンク、又はこのようなリンクの組合せでよい。ワークステーション１０２は、ユーザがメディア生成アプリケーションの特徴にアクセスできるようにする。ワークステーション１０２は、パーソナルコンピュータ、ラップトップコンピュータ、メインフレームコンピュータ、ダンプターミナル、データディスプレイ、インターネットブラウザ、パーソナルデジタルアシスタント（ＰＤＡ）、二方ページャー、ワイヤレスターミナル、ポータブル電話、他の適当なアクセス装置、又はこのような装置の組合せでよい。ワークステーション１０２及びサーバー１１０は、適当な位置に配置されてもよい。一実施形態では、ワークステーション１０２及びサーバー１１０は、ある組織内に配置される。或いは又、ワークステーション１０２及びサーバー１１０は、複数の組織間に分散されてもよい。
【００３１】
ある実施形態では、サーバー１１０は、データベースと通信する。例えば、サーバー１１０は、メディアセグメント、組み合わされたコマーシャル、フィードバック情報、マイクロトレンド情報、等を記憶するオブジェクト指向のデータベースと通信する。データベースは、メディア生成アプリケーション、ケーブルオペレータ、ヘッドエンド、ネットワークプロバイダー、及び又は他の適当なエンティティに繋がれなくてもよい。メディア生成アプリケーションは、コマーシャルを組み合わせるためのメディアセグメントを検索するためにデータベースにアクセスすることができる。
【００３２】
これらのメディアセグメントは、このメディアセグメントを「リアルタイム」又は「ほぼリアルタイム」で配送してオンザフライで制作及び組み合わせることのできる大容量、高速サーバー、データベース、又は適当な記憶装置に記憶されてもよいことに注意されたい。
【００３３】
図１に示されたサーバー及び１つのネットワークが、図２に詳細に示されている。図２を参照すれば、ワークステーション１０２は、プロセッサ２０２、ディスプレイ２０４、入力装置２０６、及びメモリ２０８を備え、これらは、相互接続することができる。好ましい実施形態では、メモリ２０８は、プロセッサ２０２を制御するためのワークステーションプログラムを記憶する記憶装置を含む。
【００３４】
プロセッサ２０２は、ワークステーションプログラムを使用して、通信リンク１０４を経て受け取ったアプリケーション及びデータと、ワークステーション１０２のユーザにより送信されたコマンド及び値とをディスプレイ２０４に表示する。又、通信リンク１０４又は他の通信リンクを通して受け取られるデータは、ウェブサービスのような適当なソースから受け取られてもよいことに注意いされたい。入力装置２０６は、コンピュータキーボード、カーソルコントローラ、ダイヤル、スイッチバンク、レバー、或いは入力システムやプロセス制御システムの設計者により使用される他の適当な入力装置でよい。
【００３５】
サーバー１１０は、プロセッサ２２０、ディスプレイ２２２、入力装置２２４及びメモリ２２６を含み、これらは相互接続することができる。好ましい実施形態では、メモリ２２６は、通信リンク１０８又は他のリンクを通して受け取られるデータを記憶するための記憶装置を含み、又、１人以上のユーザにより送信されたコマンド及び値も受け取る。記憶装置は、更に、プロセッサ２２０を制御するためのサーバープログラムも含む。
【００３６】
ある実施形態では、メディア生成アプリケーションは、アプリケーションプログラムインターフェイス（図示せず）を含んでもよいし、或いはアプリケーションは、ワークステーション１０２又はサーバー１１０のメモリに常駐されてもよい。別の適当な実施形態では、ワークステーション１０２へ唯一配布されるのが、グラフィックユーザインターフェイス（ＧＵＩ）で、これは、ユーザが、例えば、サーバー１１０に常駐するメディア生成アプリケーションと対話するのを許す。
【００３７】
１つの特定の実施形態では、メディア生成アプリケーションは、クライアント側ソフトウェア、ハードウェア、又はその両方を含むことができる。例えば、このアプリケーションは、１つ以上のウェブページ又はウェブページ部分を包含することができる（例えば、ハイパーテキストマークアップ言語（ＨＴＭＬ）、ダイナミックハイパーテキストマークアップ言語（ＤＨＴＭＬ）、拡張可能なマークアップ言語（ＸＭＬ）、Ｊａｖａ（登録商標）サーバーページ（ＪＳＰ）、アクティブサーバーページ（ＡＳＰ）、コールドヒュージョン、又は他の適当な解決策のような適当なエンコーディングを経て）。
【００３８】
メディア生成アプリケーションは、ここでは、ワークステーション及び／又はサーバーにおいて実施されるものとして説明するが、これは、単なる例示に過ぎない。このアプリケーションは、このような特徴を与えるように他の適当なプラットホーム（例えば、パーソナルコンピュータ（ＰＣ）、メインフレームコンピュータ、ダムターミナル、データディスプレイ、二方ページャー、ワイヤレスターミナル、ポータブル電話、ポータブルコンピュータ、パルムトップコンピュータ、Ｈ／ＰＣ、自動車ＰＣ、ラップトップコンピュータ、パーソナルデジタルアシスタント（ＰＤＡ）、セルラー電話・ＰＤＡ結合体、等）において実施されてもよい。
【００３９】
又、ここでの詳細な説明は、コンピュータ又はコンピュータネットワークにおいて実行されるプログラム手順に関して表現されてもよいことも理解されたい。これら手順の説明及び表現は、当業者が彼らの仕事の実体を他の当業者に最も効率的に伝達するために使用される手段である。
【００４０】
手順とは、ここでは、そして一般的には、希望の結果を導く自己一貫性の一連のステップであると考えられる。これらステップは、物理的な量の物理的な操作を要求するものである。通常、必ずしもそうでないが、これらの量は、記憶、転送、合成、比較、及びその他、操作することのできる電気的又は磁気的信号の形態をとる。主として、共通使用という理由で、これらの信号を、ビット、値、エレメント、記号、キャラクタ、項、数、等として参照することが時には便利であると分かっている。しかしながら、これら及び同様の用語は、全て、適当な物理量に関連付けられ、そしてそれらの量に適用される単なる便宜的な表現であることに注意されたい。
【００４１】
更に、行われる操作は、しばしば、追加又は比較という用語で参照され、これらは、一般に、人間のオペレータにより遂行される精神的な操作に関連付けられる。本発明の一部分を形成するここに述べるいずれの操作においても、人間のオペレータのこのような能力は、ほとんどの場合に必要なく、又、望まれもせず、即ち操作はマシンオペレーションである。本発明のオペレーションを遂行するための有用なマシンは、汎用のデジタルコンピュータ又は同様の装置を含む。
【００４２】
又、本発明は、これらのオペレーションを遂行するための装置にも係る。この装置は、要求される目的に対して特別に構成されてもよいし、或いは汎用のコンピュータを備えていて、コンピュータに記憶されたコンピュータプログラムによって選択的にアクチベートされ又は再構成されてもよい。ここに述べる手順は、本来、特定のコンピュータ又は他の装置に関連したものではない。種々の汎用マシンを、ここでの教示に基づいて書かれたプログラムと共に使用してもよいし、或いは要求された方法ステップを遂行するためのより特殊な装置を構成するのが便利であると分かっている。種々のこれらマシンに対して要求される構造は、ここでの説明から明らかとなろう。
【００４３】
本発明によるシステムは、汎用コンピュータ、又は特別にプログラムされた特殊目的コンピュータを含むことができる。ユーザは、例えば、パーソナルコンピュータや、或いはＰＤＡを経て、例えば、インターネット、イントラネット、等を経て、システムと対話することができる。これらは、いずれも、単一のコンピュータではなく、分散型コンピュータシステムとして実施することができる。同様に、通信リンクは、専用リンク、ＰＯＴＳラインを経てのモデム、インターネット、及び／又はコンピュータ及び／又はユーザ間で通信する他の方法でよい。更に、処理は、１つ以上のコンピュータシステム又はプロセッサにおけるソフトウェアプログラムにより制御することもできるし、又はハードウェアにおいて部分的に又は全体的に実施することもできる。
【００４４】
単一のコンピュータを使用してもよいが、本発明の１つ以上の実施形態によるシステムには、プロセッサ又は記憶装置が多数又は組み合わせで任意に適当に装備される。例えば、コンピュータは、本発明の実施形態の概念に基づいて動作する適当な処理システムと置き換えられてもよく又はそれと結合されてもよく、このような処理システムは、精巧な計算器、ハンドヘルド、ラップトップ／ノートブック、小型、メインフレーム及びスーパーコンピュータ、並びにそれらの処理システムネットワーク組合せを含む。更に、システムの部分が適当な電子的フォーマットで設けられてもよく、これは、例えば、通信リンクを経て電子的信号として設けられ、ＣＤ及び／又はＤＶＤに設けられ、光学的ディスクメモリに設けられ、等々を含む。
【００４５】
本発明のこのような実施形態には、現在入手できる又は将来開発されるコンピュータソフトウェア言語及び／又はハードウェアコンポーネントを使用することができる。例えば、上述した機能の少なくとも幾つかは、ビジュアルベーシック、Ｃ、Ｃ＋＋、或いは使用するプロセッサの観点で適切なアッセンブリ言語を使用して実施することができる。又、これは、Ｊａｖａ（登録商標）のようなオブジェクト指向及び／又はインタープリター環境で書いて、種々のユーザへの複数の行先へ搬送することもできる。
【００４６】
図３は、本発明の幾つかの実施形態によりマイクロトレンド情報を受け取ってコマーシャルを制作する際に遂行されるステップを示す簡単なソフトウェアである。これは、一般化されたフローチャートである。図３に示すステップは、適当な順序で遂行することができ、幾つかのステップを削除し、他のものを追加してもよいことが理解されよう。
【００４７】
図３に示すように、このプロセスは、ステップ３１０において、広告主が、コマーシャルテンプレート、複数のメディアセグメント、及び特定のコマーシャルキャンペーンに関する他の情報をアップロードするのを許すことで始まる。コマーシャルテンプレート、複数のメディアセグメント、及び付加的な情報は、上述したオブジェクト指向のデータベースのようなデータベースに記憶することができる。データベースは、各コマーシャルキャンペーンによって編成することができる。又、データベースは、メタデータタグを、受け取ったデータの各断片に関連付け、そしてメタデータタグを使用してデータベースを編成することもできる。
【００４８】
例えば、広告主は、特定の政治家に対する１つ以上のコマーシャルを創作及び作成するために雇われる。広告主は、特定の政治家に関連した多数のメディアセグメント（例えば、ビデオクリップ、オーディオクリップ、グラフィック、バックグランド音楽、等）、例えば、政治家の特定の話題、政治家のテーマソング、政治家の複数のイメージ、等に関するメディアセグメントを創作することができる。広告主は、メディア生成アプリケーションを使用して、メディアセグメント及び付加的な情報をデータベースへアップロードすることができる。これらのメディアセグメントは、コマーシャルテンプレートにおいてメディアスロットに挿入することができる。
【００４９】
メディアセグメントは、１つ以上のセマンティック基準との相対的又は絶対的適合に関してそれらに関連付けられたメタデータを有することに注意されたい。例えば、価格変化に応答して、メディア生成アプリケーション（又はこのアプリケーションによりアクセスされる編集／アッセンブリソフトウェアパッケージ）は、それに対応するビデオセグメントの１つ以上の異なる断片、及びそれに対応するオーディオセグメントの１つ以上の異なる断片を、配置、オーディオとビデオの同期、及びバックグランド音楽トラックの切り換えに関するルールで検索することができる。別の例では、各メディアセグメントは、それに関連した１つ以上のメタデータタグを有し、そして編集／アッセンブリソフトウェアパッケージは、それに対応するメタデータ特性を有するメディアセグメントを検索することができる。メタデータは、メディアコンテンツがどのようにシーケンスされるか、一次オーディオセグメント及びそれがビデオセグメントとどのように結合されるか、バックグランドオーディオトラック及びそれがビデオセグメントとどのように結合されるか、等々に影響を及ぼす。
【００５０】
図４及び５は、本発明の幾つかの実施形態により設けられるデータベースのメッセージテンプレート４００及びコンテンツ５００を例示する。メッセージテンプレート４００は、ターゲットとする視聴者に対するメディアコンテンツを生成し組み合わせるためのフレームワークを記述する。メッセージテンプレートは、挿入可能なシーケンス（例えば、挿入可能なオーディオ及び／又はビデオメディアセグメント）及び／又は所定のシーケンスのようなシーケンス４２０を含むことができる。例えば、所定のシーケンスは、メディアコンテンツの異なるバージョン間で変化しないメッセージテンプレート４００へ挿入することができる。更に、メッセージテンプレート４００は、メディアコンテンツを生成するためにメディアセグメント及び他のリソースを選択及び組み合わせるルールを含むことができる。
【００５１】
本発明のメッセージテンプレート４００は、メディアセグメントの直交組み合わせに限定されないことに注意されたい。メディアコンテンツの１つ以上のエレメントは、カスタマイズされたメディアコンテンツを与えるために種々の解決策を使用して制御及び合成することができる。例えば、地理的風景のようなバックグランドシーンがデータベースから選択されて、メディアコンテンツの再生全体にわたり共通のバックグランドとして使用される一方、ある位置においてメディアコンテンツに挿入可能なビデオコンテンツが追加される。
【００５２】
メッセージテンプレートの設計は、キャンペーンからの情報、デフォールトメッセージからの情報（例えば、カスタマイズされないメディアコンテンツ）、等を使用して決定することができる。
【００５３】
ユーザ情報に基づいて個人的メッセージを生成するための付加的な特徴が、例えば、参考としてここに援用する、２０００年４月７日に出願された、共通に所有され共通に譲渡された米国特許出願第０９／５４５，５２４号に説明されている。
【００５４】
図３に戻ると、アプリケーションは、ステップ３２０において、マイクロトレンド情報について１つ以上の情報ソースへ問合せを送信することができる。マイクロトレンド情報は、例えば、特定のウェブサイト（例えば、Dell.com、NYTimes.com、Google.com、等）に関するユーザ対話情報又はアクティビティ情報、セルラー電話に関するアクティビティ情報（例えば、ユーザが特定のアプリケーション、位置情報をダウンロードする回数）、又は情報ソースからの他の適当なフィードバックを含む。情報ソースは、例えば、ウェブサイト、セルラープロバイダー、セットトップボックス、等を含む。
【００５５】
例えば、アプリケーションは、新製品情報、新製品グラフィック、新製品ビデオ、等を含む更新された製品情報についてDell.comウェブサイトへ問合せを送信することができる。別の例では、アプリケーションは、Dell.com製品の在庫情報についてDell.comウェブサイトへ問合せを送信することができる。更に別の例では、アプリケーションは、最も人気のあるDell.com製品を決定するためにDell.comウェブサイトへ問合せを送信することができる。
【００５６】
別の適当な例では、広告主がメディア生成アプリケーションを使用して、特定の政治家のコマーシャルを制作する。しかしながら、広告主は、特定の視聴者層又は特定の地域における特定の関心事について知らないことがある。コマーシャルを制作するために、広告主は、政治家との確立された関係を有するウェブサイト及び他の情報ソース、例えば、NYTimes.com、政治家個人のウェブサイト、地方の政党ウェブサイト、ニューステレビ局のウェブサイト、等に問合せするようにメディア生成アプリケーションに指令することができる。NYTimes.comへの問合せは、例えば、NYTimes.comの読者によって最も頻繁にｅメールされた記事、ウェブのブロガーにより最も頻繁にリンクされたNYTimes.comの記事、NYTimes.comの読者により最も頻繁にサーチされたキーワード、NYTimes.comの読者の中で最も人気のある映画に関する情報の要求を含む。ニューステレビ局のウェブサイトへの問合せは、例えば、政治上の問題に関してウェブサイトに投稿される最新の調査の結果の要求を含む。
【００５７】
又、情報ソースは、例えば、セルラープロバイダーを含む。例えば、アプリケーションは、セルラープロバイダーからダウンロードされた最も人気のあるアプリケーションを決定するためにセルラープロバイダーに問合せを送信することができる。他の例では、アプリケーションは、ユーザの地理的位置に関する情報を受け取るためにセルラープロバイダーに問合せを送信することができる。
【００５８】
メディア生成アプリケーションは、適当な情報ソース（例えば、特定のウェブサイト、特定のセットトップボックス、特定のセルラー電話、特定のコンピュータ、特定のコンピュータネットワーク、特定の電話ネットワーク、等）からマイクロトレンド情報を受信できることに注意されたい。
【００５９】
メディア生成アプリケーションは、ステップ３３０において、マイクロトレンド情報を含む１つ以上の問合わせに対する情報を、情報ソースから受信することができる。受信したマイクロトレンド情報は、特定のコマーシャルキャンペーンに関連付けられる。メディア生成アプリケーションは、受信したマイクロトレンド情報をコマーシャルテンプレート及び複数のメディアセグメントに関連付け、そしてマイクロトレンド情報を、上述したオブジェクト指向のデータベースのようなデータベースに記憶することができる。
【００６０】
ステップ３４０において、メディア生成アプリケーションは、受信したマイクロトレンド情報に基づいて１つ以上のコマーシャルを構成することができる。例えば、マイクロトレンド情報は、最もｅメールされたNYTimes.comの記事が一般的に健康管理に関するものであることをメディア生成アプリケーションに通知することができる。これに応答して、広告主が特定政治家のコマーシャルを制作するためのメディア生成アプリケーションは、健康管理に関してデータベースから１つ以上のメディアセグメントを検索することができる。
【００６１】
ある実施形態では、メディア生成アプリケーションは、メタデータタグ「健康管理」に関連したメディアセグメントについてデータベースを通してサーチすることができる。データベースは、適当な解決策を利用して編成できることに注意されたい。例えば、コマーシャルキャンペーンと共にデータベースに記憶されたメディアセグメントデータ、マイクロトレンド情報、フィードバック情報及び他のデータは、マイクロトレンド及びフィードバック情報の分析に使用することができる。データベースのデータは、視聴者の中のユーザの数、及びメディアセグメントの使用コストのようなコンポーネントに分割することができる。ユーザデータは、どんなタイプのユーザが視聴者を構成しているかを示すユーザ視聴者層データへと更に分割することができる。このような視聴者層データは、例えば、地理的情報、性別、年齢、或いは他の適当な視聴者層又はサイコグラフィック情報を含むことができる。
【００６２】
別の例では、メディア生成アプリケーションは、プリンターの在庫が少ないことを明らかにするマイクロトレンド情報をDell.comウェブサイトから受け取ることができる。これに応答して、広告主がDell.comのコマーシャル又は他のメディアコンテンツを制作するためのメディア生成アプリケーションは、プリンターを含まない異なる取引に関する１つ以上のメディアセグメントを検索することができる。
【００６３】
１つ以上のコマーシャルを構成するために、メディア生成アプリケーションは、それに対応するメディアセグメントをデータベース又は他の記憶装置から検索して、その検索されたメディアセグメントをコマーシャルテンプレート挿入し、これにより、コマーシャルの完成バージョンを生成するように、編集／アッセンブリメカニズムに命令できることに注意されたい。編集／アッセンブリメカニズムは、アビドテクノロジー社により開発された編集ソフトウェア、アップルコンピュータ社により開発されたファイナル・カット・プロ、ビジブルワールドにより開発されたｉｎｔｅｌｉＳｐｏｔ又は他のアッセンブリソフトウェア、等の専門的編集／アッセンブリソフトウェアを含むことができる。即ち、マイクロトレンド情報を受け取るのに応答して、メディア生成アプリケーションは、これらの編集／アッセンブリメカニズムの１つ以上を使用するか、又はこれら編集／アッセンブリメカニズムの知識を有する別のユーザへ情報を送信して、選択されたメディアセグメントを有する１つ以上のコマーシャルを制作することができる。
【００６４】
このアプリケーションを使用して、ユーザは、コマーシャルの仕上りバージョンを受信することができる。コマーシャルは、配送ポイントへ送信され、ステップ３５０において視聴者へコマーシャルが送信され提示される。
【００６５】
ある実施形態では、メディア生成アプリケーションは、フィードバックメカニズムも含む（ステップ３６０）。メディア生成アプリケーションのフィードバックメカニズムは、１つ以上の情報ソースからフィードバック情報を受信することができる。フィードバック情報は、例えば、視聴者メンバーから情報が受け取られたというフィードバック、コマーシャル又はメディアコンテンツの応答性又は有効性に関する情報、情報ソースからの状態更新（例えば、Dellはプリンターを切らしているのでDellプリンターの特定の取引に関して現在放送されるコマーシャルを中止し、又、特定の話題に関するフィードバックを受け取る際にその話題に関する特定の政治家のコマーシャルを中止する、等）を含むことができる。フィードバックを受け取るのに応答して、メディア生成アプリケーションは、そのフィードバックをコマーシャルキャンペーンに関連付け、そしてそのフィードバックをデータベースに記憶することができる。又、メディア生成アプリケーションは、異なるメディアセグメントを、コマーシャルテンプレートへ挿入するために検索することもできる。異なるメディアセグメントを使用して、１つ以上のコマーシャルを更新することができる（ステップ３４０）。
【００６６】
例えば、メディア生成アプリケーションは、NYTimes.comの読者によって最も頻繁にｅメールされた記事、及びウェブのブロガーにより最も頻繁にリンクされた記事が銃の規制から中絶へと変化したというリアルタイムフィードバックをNYTimes.comウェブサイトから受け取ることができる。これに応答して、特定の政治家に対してカスタマイズされたコマーシャルを制作するのに使用されているメディア生成アプリケーションは、中絶に関連したメディアセグメント検索することができる。メディア生成アプリケーションは、中絶に関連した検索されたメディアセグメントを、銃の規制に関連して以前に検索されたメディアセグメントに代わってコマーシャルテンプレートへ挿入することにより、以前に組み合わされたコマーシャルを更新することができる。上述したように、コマーシャルを更新するために、メディア生成アプリケーションは、それに対応するメディアセグメントを、データベース又は他の記憶装置から検索し、そしてその検索されたメディアセグメントをコマーシャルテンプレートへ挿入するように、編集／アッセンブリメカニズムに命令することができる。
【００６７】
図６は、本発明の幾つかの実施形態によりフィードバック情報に基づいてコマーシャルを更新する際に遂行されるステップを示すフローチャートである。これは、一般化されたフローチャートである。図６に示すステップは、適当な順序で遂行されてもよく、幾つかのステップが削除されてもよく、又、他のステップが追加されてもよいことを理解されたい。
【００６８】
１つ以上の情報ソースからフィードバックを受け取るのに応答して（例えば、特定製品の在庫数が少なくなってきた、銃規制のコマーシャルが勧められない、特定製品の価格変更、新たなインセンティブ又は取引、等）（ステップ６１０）、メディア生成アプリケーションは、ステップ６２０において、更新されたメディアセグメント（例えば、新製品のグラフィック、新たなビデオセグメント、新たな取引を含むための更新されたナレーション）及び／又は更新された情報について情報ソースへ問合せを送信することができる。更新されたメディアセグメント及び／又は更新された情報を受信するのに応答して（ステップ６３０）、メディア生成アプリケーションは、検索されたメディアセグメントをコマーシャルテンプレートに挿入することにより以前に組み合わされたコマーシャルを更新し（ステップ６４０）、そしてその更新されたコマーシャルを視聴者に提示することができる（ステップ６５０）。メディア生成アプリケーションは、以前に検索されたメディアセグメントを、新たに受信されたメディアセグメントに置き換えることができる。或いは又、メディア生成アプリケーションは、新たに受信されたメディアセグメントを使用してコマーシャルの新たなバージョンを組み合わせることができる。上述したように、コマーシャルを更新するために、メディア生成アプリケーションは、それに対応するメディアセグメントをデータベース又は他の記憶装置から検索し、そしてその検索されたメディアセグメントをコマーシャルテンプレートへ挿入するように編集／アッセンブリメカニズムに命令することができる。
【００６９】
ある実施形態では、メディア生成アプリケーションは、受信したフィードバックに基づいて構成ルールを開発又は更新することができる（ステップ６６０）。例えば、Fordが特定の車両モデル（例えば、Fordトラック）について数量が減ってきたという情報を受け取るのに応答して、メディア生成アプリケーションは、他の車両（例えば、Fordセダン）に関するコマーシャル及び他のメディアコンテンツをプッシュする構成ルールを開発することができる。コマーシャルテンプレートに関連した構成ルールは、以前に在庫量が少ないか又は在庫切れとなっていた車両が入手できるというフィードバック情報をメディア生成アプリケーションが受信するまで、Fordセダンのような入手できる車両に関するメディアセグメントを選択するようにメディア生成アプリケーションに指令することができる。
【００７０】
或いは又、Fordが特定の車両モデルについて数量が減ってきたという情報を受信するのに応答して、メディア生成アプリケーションは、その特定の車両モデルの在庫がいつ戻るかを視聴者に通知するメディアセグメントを現在放送コマーシャルに追加する構成ルールを開発することができる。別の例では、Fordが特定の車両モデルについて数量が減ってきたという情報を受信するのに応答して、メディア生成アプリケーションは、更新されたコマーシャル（例えば、「急いで下さい、そのロットは５台しか残っていない」）を通して視聴者に在庫情報を与えることができる。
【００７１】
ある実施形態では、メディア生成アプリケーションは、受信したフィードバック情報（例えば、特定製品の在庫数が少なくなってきた、銃規制のコマーシャルが勧められない、特定製品の価格変更、新たなインセンティブ又は取引、等）を使用して、推薦及び組み合わせの選択肢をユーザに与えることができる。推薦は、例えば、推薦されるメディアセグメント（例えば、推薦される男優／女優、推薦されるナレーション、推薦されるバックグランド、推薦される音楽トラック、推薦されるビデオクリップ、推薦されるグラフィック、等）を含む。又、推薦は、例えば、以前に組み合わされたコマーシャルを更新するための複数の選択可能な選択肢も含み、例えば、データベースにおいて使用できるメディアセグメントを評価した後に、銃規制に関するメディアセグメントを、中絶、教育、健康管理、及び／又は外国の政策に関するメディアセグメントに置き換えることができる。ユーザからの選択を受け取るのに応答して、メディア生成アプリケーションは、適当なメディアセグメントを検索して、コマーシャルを更新することができる。
【００７２】
情報ソースから受け取られたフィードバックに基づいて、メディア生成アプリケーションは、次の放送の前に又は放送の後にコマーシャルのメディアセグメントを調整することができる（例えば、コマーシャルを引っ張って、そのコマーシャルの新たなバージョンを挿入し、コマーシャルをより高い頻度で再生する）。
【００７３】
本発明の前記実施形態は、マイクロトレンド情報、及び／又はコンパイルしたデータについての結論（例えば、特定のウェブサイトのブロガーにより最も頻繁に引用される記事は、教育の問題に関係している）を受信するものとして説明されたが、これらの実施形態は、このようなマイクロトレンド情報の受信のみに限定されないことを注意されたい。むしろ、情報ソースからの分析（例えば、NYTimes.comは、読まれた評論の累積数、映画の詳細のページビュー及びアクセスされた予告編に基づいて最も人気のある映画を決定する）を受け取るのではなく、本発明は、複数の情報ソースからのマイクロトレンド情報も受け取り、収集し、そして分析することができる。図７に示すように、メディア生成アプリケーションは、複数の情報ソースからマイクロトレンド情報を収集し（ステップ７１０）そしてその収集したマイクロトレンド情報を分析することができる（ステップ７２０）。
【００７４】
例えば、メディア生成アプリケーションは、特定のウェブサイト（例えば、www.dell.com）、第三者ウェブサイト（例えば、合意による）、及び／又はリンクされたウェブサイト（例えば、ニューヨークタイムズのウェブサイトがデルのウェブサイトにリンクする）と共に機能することができる。例えば、アプリケーションを使用する広告主は、NYTimes.com（第三者ウェブサイト）との確立された関係を有し、アプリケーションがNYTimes.comからのマイクロトレンド情報（例えば、他の者へｅメールされるトップ記事、NYTimes.comへの訪問者が見るトップ記事、NYTimes.comに関して最も人気のある広告、等）を自動的に受け取ることができる。
【００７５】
別の例では、広告主が特定の政治家についてコマーシャルを制作するときに、メディア生成アプリケーションは、NYTimes.comのようなニュースウェブサイト、及び政治家個人のウェブサイトの両方からマイクロトレンド情報を受け取ることができる。メディア生成アプリケーションは、マイクロトレンド情報を収集し、そして専門ルール又はモデルを使用して、その収集されたマイクロトレンド情報を分析することができる。例えば、メディア生成アプリケーションは、キーワードサーチを遂行するか、又はマイクロトレンド情報によるメタデータクロールを遂行して、最も一般的なキーワードをインデックスし及び／又は決定することができる。別の例では、各ウェブサイトは、サーチアクティビティ（例えば、キーワードサーチ、サイトマップサーチ、等）のログを含むことができる。メディア生成アプリケーションは、１つ以上の情報ソースについてサーチアクティビティのログを検索し、そして１つ以上のログを分析して、マイクロトレンド情報と、どのメディアセグメントを特定のコマーシャルテンプレートに挿入すべきかを決定することができる。
【００７６】
別の例では、広告主がFordのコマーシャルを制作するときに、メディア生成アプリケーションは、関連ウェブサイト（例えば、www.ford.com）のアクティビティを評論することができる。メディア生成アプリケーションは、関連ウェブサイトのアクティビティを評論することに基づいて統計学的情報をコンパイルすることができる。例えば、www.ford.comにアクセスするユーザの８０％は、Ford F-１５０トラックの赤色が入手でき且つローンが組めるかどうか知りたがっているという決定に応答して、メディア生成アプリケーションは、赤いFord F-１５０トラックに関するデータベースからのメディアセグメント及び／又はメディア情報と、自動車に対する金融情報とを検索することができる。
【００７７】
ある実施形態では、メディア生成アプリケーションは、ウェブコンテンツを監視するか、又はウェブコンテンツに関する特定ウェブサイトからの情報を受信することができる。これに応答して、メディア生成アプリケーションは、監視されるウェブコンテンツに基づいてコマーシャルを更新することができる。ユーザを監視し、そしてユーザが特定のウェブページを評論し、特定の主題又は話題を評論し、メディアコンテンツの部分（例えば、広告）を早送りし、メディアコンテンツの部分を巻き戻し、メディアコンテンツを再生し、再生中にメディアコンテンツを休止し、メディアコンテンツの再生をストップし、メディアコンテンツを数回再生又は巻き戻しし、特定長さの時間中メディアコンテンツを視聴し、メディアコンテンツをリンクし、メディアコンテンツへのリンクを他のユーザに送信し、特定のウェブコンテンツに関するブログを書き、又は他の適当なアクションを行うことを決定することで、メディア生成アプリケーションには、コマーシャルをカスタマイズし更新するためのフィードバックが与えられる。
【００７８】
従って、メディア生成アプリケーションは、ユーザが、１つ以上の情報ソースからマイクロトレンド情報及びフィードバック情報を受信して、その受信情報に基づいてコマーシャルを制作又はカスタマイズするのを許す。
【００７９】
ここに述べる実施形態は、ウェブコンテンツを使用して、コマーシャルをカスタマイズするが、他の適当な情報ソースを使用してもよい。例えば、セルラー電話の広告を使用して、特定視聴者層に関する情報を得ることができる。別の例では、リッチメディアが可能となる適当な環境を使用することができる（例えば、ウインドウズメディアプレーヤを有するパーソナルデジタルアシスタント、ストリーミングメディアを受信できるセルラー電話、ストリーミングメディアを受信できるビデオゲームコンソール、等）。
【００８０】
以上に述べたように、メディア生成アプリケーションは、ユーザが、１つ以上の情報ソースからマイクロトレンド情報及びフィードバック情報を受信して、その受信情報に基づいてコマーシャルを制作又はカスタマイズするのを許す。当業者であれば、本出願で与えられる情報に基づいて本発明のプロセスを実施するのに、標準アルゴリズムをどのように使用するか分かるであろう。
【００８１】
本発明は、その適用が、添付図面に示され又は上述された構造の細部及びコンポーネントの配列に限定されるものでないことを理解されたい。本発明は、他の実施形態も考えられ、又、種々の仕方で実施及び実行することができる。又、ここに使用する表現や用語は、説明のためのもので、それに限定されるものでないことも理解されたい。
【００８２】
従って、当業者であれば、この開示の基礎となる概念は、本発明の多数の目的を果たすための他の構造、方法及びシステムを設計する基礎として容易に利用できることが明らかであろう。それ故、特許請求の範囲は、そのような等価な構造を、それらが本発明の精神及び範囲を逸脱しない限り、包含するとみなすことが重要である。
【００８３】
本発明の実施形態を以上に説明したが、この開示は、一例に過ぎず、本発明の精神及び範囲から逸脱せずに本発明の実施の細部に多数の変更がなされ得ることが理解されよう。従って、本発明は、特許請求の範囲のみによって限定される。
【図面の簡単な説明】
【００８４】
【図１】本発明の幾つかの実施形態によりメディア生成アプリケーションが実施されるメディア生成システムを例示する概略図である。
【図２】本発明の幾つかの実施形態により、例えば、図１に設けられたワークステーション及びサーバーを例示する概略図である。
【図３】本発明の幾つかの実施形態によりマイクロトレンド及び／又はフィードバック情報に基づいてコマーシャルを制作し及び／又は更新するメディア生成アプリケーションを与える際に遂行されるステップを示す簡単なフローチャートである。
【図４】本発明の幾つかの実施形態により設けられるメッセージテンプレートを例示する図である。
【図５】本発明の幾つかの実施形態により設けられるメディアデータベースのコンテンツの概略図である。
【図６】本発明の幾つかの実施形態によりフィードバック情報に基づいてコマーシャルを更新する際に遂行されるステップを示す簡単なフローチャートである。
【図７】本発明の幾つかの実施形態によりマイクロトレンド及び／又はフィードバック情報を分析する際に遂行されるステップを示す簡単なフローチャートである。
【図１】
0005458321.tif 000002
【図２】
0005458321.tif 000003
【図３】
0005458321.tif 000004
【図４】
0005458321.tif 000005
【図５】
0005458321.tif 000006
【図６】
0005458321.tif 000007
【図７】
0005458321.tif 000008